(57)【特許請求の範囲】
【請求項１】
ある一方向で伸長、収縮可能とされるテント本体を備えた伸縮式テント装置において、
上記一方向における上記テント本体の一端部に取り付けられてこのテント本体の他端部側に向かって開く開口を有し、収縮したテント本体の一部分を格納可能とする格納箱体と、上記テント本体の他端部に取り付けられ、このテント本体を収縮させたとき、上記格納箱体の開口を開閉可能に閉じる蓋体と、を備え、
上記テント本体には、上記格納箱体と上記蓋体が設置される静止がわ面上を転動するように車輪が設けられ、
上記格納箱体は、前面部を構成する端面板と、上記端面板の左右各外側端縁部から後方に向かって延出して左右各側面部を構成する左右側面板と、上記端面板および上記左右側面板の各上端縁部に架設されて上面部を構成する上面板と、を有する一方で、上記静止がわ面に対して開放しており、上記端面板に上記テント本体の上記一端部が取り付けられることにより、上記収縮したテント本体の一部分を格納可能に構成され、
上記蓋体は、後面部を構成する端面板と、上記端面板の左右各外側端縁部から前方に向かって延出して左右各側面部を構成する左右側面板と、上記端面板および上記左右側面板の各上端縁部に架設されて上面部を構成する上面板と、を有することにより、上記テント本体の一端部側に向かって開く開口を有し、かつ、上記静止がわ面に対して開放しており、上記端面板に上記テント本体の他端部が取り付けられることにより、上記収縮したテント本体の一部分を格納可能に構成されていることを特徴とする伸縮式テント装置。
【請求項２】
上記蓋体を、上記テント本体を収縮させたとき、上記蓋体内に上記テント本体の他部分を格納可能にしたことを特徴とする請求項１に記載の伸縮式テント装置。
【請求項３】
上記格納箱体と蓋体とのうちの少なくともいずれか一方をほぼ水平な上記静止がわ面上に自立可能に設置すると共に、上記静止がわ面に沿った方向に移動可能にしたことを特徴とする請求項１、もしくは２に記載の伸縮式テント装置。
【請求項４】
上記格納箱体と蓋体とのうちの可動側のものに上記テント本体の内外を連通させるドア開口を形成すると共に、このドア開口を開閉可能とするドアを設けたことを特徴とする請求項３に記載の伸縮式テント装置。
【請求項５】
上記テント本体の外部の空気をその内部空間に送り込んで、この内部空間を陽圧にする加圧装置を設け、この加圧装置を、上記格納箱体と蓋体とのうちの可動側のものに取り付けたことを特徴とする請求項３、もしくは４に記載の伸縮式テント装置。
【発明の詳細な説明】
【技術分野】
【０００１】
本発明は、ある一方向で伸長、収縮可能とされるテント本体を、収縮させた状態で閉じられた空間に格納できるようにした伸縮式テント装置に関するものである。
【背景技術】
【０００２】
上記伸縮式テント装置には、従来、下記特許文献１に示されるものがある。この公報のものによれば、伸縮式テント装置は、水平な一方向で伸長、収縮可能とされるテント本体と、上記一方向における上記テント本体の一端部に取り付けられ、収縮したテント本体を格納可能とする格納枠体と、上記テント本体の他端部に取り付けられ、このテント本体の内外を連通させる入口部とを備えている。
【０００３】
そして、地面がわの上面に敷設されたレール上で、上記テント本体を伸長させれば、通常、このテント本体の内部空間は作業場や物置などに利用可能とされる。この場合、上記内部空間への出入りは、上記格納枠体や入口部を通して可能とされる。
【０００４】
一方、上記テント本体を収縮させて、このテント本体と入口部の一部とを上記格納枠体に格納させれば、上記テント装置はコンパクトな形状とされる。そして、このようにコンパクトな形状にさせれば、テント装置の取り扱い作業や目的地への搬送作業が容易にできると考えられる。
【先行技術文献】
【特許文献】
【０００５】
【特許文献１】特開平７−１０２８２９号公報
【発明の概要】
【発明が解決しようとする課題】
【０００６】
ところで、上記テント装置の格納枠体や入口部は、いずれも枠材により形成されている。このため、上記テント本体を収縮させて格納枠体に格納させることにより上記テント装置をコンパクトな形状にした場合でも、上記テント本体の外面は大気側に露出させられたままの状態とされる。
【０００７】
よって、上記したようにテント装置をコンパクトな形状にして、これの取り扱い作業や搬送作業をする場合、上記テント本体は大気側の雨水や塵埃により無用に汚損されるおそれがある。また、上記各作業時には、作業者などから上記テント本体に外力が負荷されてこのテント本体が損傷させられるおそれがある。そこで、このような外力の負荷を避けながら上記作業を進める必要があるが、その分、上記各作業は煩雑となりがちである。
【課題を解決するための手段】
【０００８】
本発明は、上記のような事情に注目してなされたもので、本発明の目的は、テント装置をコンパクトな形状にして、これの取り扱い作業や搬送作業が容易にできるようにする場合に、そのテント本体が大気側の雨水や塵埃により無用に汚損されないようにし、かつ、上記各作業が、より容易にできるようにすることである。
【０００９】
ある一方向で伸長、収縮可能とされるテント本体を備えた伸縮式テント装置において、
上記一方向における上記テント本体の一端部に取り付けられてこのテント本体の他端部側に向かって開く開口を有し、収縮したテント本体の一部分を格納可能とする格納箱体と、上記テント本体の他端部に取り付けられ、このテント本体を収縮させたとき、上記格納箱体の開口を開閉可能に閉じる蓋体と、を備える。上記テント本体には、上記格納箱体と上記蓋体が設置される静止がわ面上を転動するように車輪が設けられる。上記格納箱体は、前面部を構成する端面板と、上記端面板の左右各外側端縁部から後方に向かって延出して左右各側面部を構成する左右側面板と、上記端面板および上記左右側面板の各上端縁部に架設されて上面部を構成する上面板と、を有する一方で、上記静止がわ面に対して開放しており、上記端面板に上記テント本体の上記一端部が取り付けられることにより、上記収縮したテント本体の一部分を格納可能に構成される。上記蓋体は、後面部を構成する端面板と、上記端面板の左右各外側端縁部から前方に向かって延出して左右各側面部を構成する左右側面板と、上記端面板および上記左右側面板の各上端縁部に架設されて上面部を構成する上面板と、を有することにより、上記テント本体の一端部側に向かって開く開口を有し、かつ、上記静止がわ面に対して開放しており、上記端面板に上記テント本体の他端部が取り付けられることにより、上記収縮したテント本体の一部分を格納可能に構成されていることを特徴とする伸縮式テント装置。
【００１０】
請求項２の発明は、上記蓋体８を上記テント本体５の一端部側に向かって開く開口３７を有する箱形状体とし、上記テント本体５を収縮させたとき、上記蓋体８内に上記テント本体５の他部分を格納可能にしたことを特徴とする請求項１に記載の伸縮式テント装置である。
【００１１】
請求項３の発明は、上記格納箱体７と蓋体８とのうちの少なくともいずれか一方をほぼ水平な静止がわ面２上に自立可能に設置すると共に、上記静止がわ面２に沿った方向に移動可能にしたことを特徴とする請求項１、もしくは２に記載の伸縮式テント装置である。
【００１２】
請求項４の発明は、上記格納箱体７と蓋体８とのうちの可動側のものに上記テント本体５の内外を連通させるドア開口３５を形成すると共に、このドア開口３５を開閉可能とするドア３６を設けたことを特徴とする請求項３に記載の伸縮式テント装置である。
【００１３】
請求項５の発明は、上記テント本体５の外部の空気をその内部空間２７に送り込んで、この内部空間２７を陽圧にする加圧装置５４を設け、この加圧装置５４を、上記格納箱体７と蓋体８とのうちの可動側のものに取り付けたことを特徴とする請求項３、もしくは４に記載の伸縮式テント装置である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
ある一方向で伸長、収縮可能とされるテント本体を備えた伸縮式テント装置において、
上記一方向における上記テント本体の一端部に取り付けられてこのテント本体の他端部側に向かって開く開口を有し、収縮したテント本体の一部分を格納可能とする格納箱体と、上記テント本体の他端部に取り付けられ、このテント本体を収縮させたとき、上記格納箱体の開口を開閉可能に閉じる蓋体と、を備える。上記テント本体には、上記格納箱体と上記蓋体が設置される静止がわ面上を転動するように車輪が設けられる。上記格納箱体は、前面部を構成する端面板と、上記端面板の左右各外側端縁部から後方に向かって延出して左右各側面部を構成する左右側面板と、上記端面板および上記左右側面板の各上端縁部に架設されて上面部を構成する上面板と、を有する一方で、上記静止がわ面に対して開放しており、上記端面板に上記テント本体の上記一端部が取り付けられることにより、上記収縮したテント本体の一部分を格納可能に構成される。上記蓋体は、後面部を構成する端面板と、上記端面板の左右各外側端縁部から前方に向かって延出して左右各側面部を構成する左右側面板と、上記端面板および上記左右側面板の各上端縁部に架設されて上面部を構成する上面板と、を有することにより、上記テント本体の一端部側に向かって開く開口を有し、かつ、上記静止がわ面に対して開放しており、上記端面板に上記テント本体の他端部が取り付けられることにより、上記収縮したテント本体の一部分を格納可能に構成されている。
【００１７】
このため、上記テント本体を収縮させて、このテント本体を、上記格納箱体とこの格納箱体の開口を閉じた蓋体とで形成された閉じられた空間内に格納してやれば、テント装置はコンパクトな形状とされて、このテント装置の取り扱い作業や搬送作業が容易にできる。
【００１８】
そして、上記の場合、テント本体は上記格納箱体と蓋体とによって閉じられた空間に格納されることから、上記テント本体が大気側の雨水や塵埃により無用に汚損されることは防止される。また、上記各作業時に、その作業者などから上記テント本体に外力が負荷されることは上記格納箱体や蓋体によって防止される。よって、上記各作業時において、テント本体への外力の負荷に留意しないで足りる分、上記テント装置への各作業は、より容易にできる。
【００１９】
請求項２の発明は、上記蓋体を上記テント本体の一端部側に向かって開く開口を有する箱形状体とし、上記テント本体を収縮させたとき、上記蓋体内に上記テント本体の他部分を格納可能にしたことを特徴とする請求項１に記載の伸縮式テント装置ている。
【００２０】
このため、上記格納箱体と蓋体とによりテント本体を格納するとき、その格納容積を上記格納箱体と蓋体とに分担させることができる。よって、その分、上記格納箱体と蓋体とをそれぞれ小型かつ軽量にできることから、これらによる上記テント本体の格納作業や、上記格納箱体と蓋体とを互いに離反させて上記テント本体を伸長させる際の作業は、より容易にでき、つまり、テント装置の取り扱い作業は、より容易にできる。
【００２１】
請求項３の発明は、上記格納箱体と蓋体とのうちの少なくともいずれか一方をほぼ水平な静止がわ面上に自立可能に設置すると共に、上記静止がわ面に沿った方向に移動可能にしている。
【００２２】
このため、上記テント本体を伸長させたり、収縮させたりする場合の格納箱体や蓋体の移動時に、不意の転倒に留意しないで足りる分、上記テント装置への各作業は更に容易かつ迅速にできる。
【００２３】
請求項４の発明は、上記格納箱体と蓋体とのうちの可動側のものに上記テント本体の内外を連通させるドア開口を形成すると共に、このドア開口を開閉可能とするドアを設けている。
【００２４】
このため、上記格納箱体や蓋体と共に上記ドア開口およびドアを所望位置に移動させることができる。よって、上記ドア開口を通しての上記テント本体の内部空間への出入りが容易にできることとなって便利である。
【００２５】
請求項５の発明は、上記テント本体の外部の空気をその内部空間に送り込んで、この内部空間を陽圧にする加圧装置を設け、この加圧装置を、上記格納箱体と蓋体とのうちの可動側のものに取り付けている。
【００２６】
このため、上記加圧装置の作動によれば、上記テント本体の内部空間に、テント本体の外部の新鮮な空気を取り込むことができる。よって、上記テント本体の内部空間における居住性や作業性を向上させることができる。
【００２７】
また、上記格納箱体や蓋体と共に上記加圧装置を所望位置に移動させることができる。よって、上記加圧装置を、テント本体への空気の取り込みに適したところに位置させたり、上記加圧装置を電源の近くに位置させたりすることができて便利である。
【図面の簡単な説明】
【００２８】
【図１】側面部分断面部分破断図である。
【図２】平面部分断面部分破断図である。
【図３】図１のIII−III線矢視断面図である。
【図４】全体斜視図である。
【発明を実施するための形態】
【００２９】
本発明の伸縮式テント装置に関し、テント装置をコンパクトな形状にして、これの取り扱い作業や搬送作業が容易にできるようにする場合に、そのテント本体が大気側の雨水や塵埃により無用に汚損されないようにし、かつ、上記各作業が、より容易にできるようにする、という目的を実現するため、本発明を実施するための形態は、次の如くである。
【００３０】
即ち、伸縮式テント装置は、ある一方向で伸長、収縮可能とされるテント本体と、上記一方向における上記テント本体の一端部に取り付けられてこのテント本体の他端部側に向かって開く開口を有し、収縮したテント本体の少なくとも一部分を格納可能とする格納箱体と、上記テント本体の他端部に取り付けられ、このテント本体を収縮させたとき、上記格納箱体の開口を開閉可能に閉じる蓋体とを備えている。
【実施例】
【００３１】
本発明をより詳細に説明するために、その実施例を添付の図に従って説明する。
【００３２】
図において、符号１は、ほぼ水平な静止がわ面２上に設置された伸縮式テント装置であり、説明の便宜上、矢印Ｆｒを前方とし、この前方に向かっての水平方向を左右方向として以下説明する。なお、上記静止がわ面２は、地面、建物内の床面、架台上面、もしくはこれらの面上に支持されたレールなどを含む概念である。
【００３３】
テント装置１は、上記静止がわ面２に沿ったほぼ水平な一方向Ａで伸長、収縮可能とされるテント本体５と、上記一方向Ａにおける上記テント本体５の前端部（一端部）に取り付けられ、このテント本体５の後端部（他端部）側に向かって開く開口６を有する格納箱体７と、上記テント本体５の後端部に取り付けられ、このテント本体５を収縮させたとき、上記格納箱体７の開口６を開閉可能に閉じる蓋体８とを備えている。
【００３４】
上記格納箱体７と蓋体８とは、いずれも静止がわ面２上に自立可能に設置され、上記静止がわ面２に沿った任意の方向に移動可能とされる。なお、上記格納箱体７と蓋体８とのうち、いずれか一方は建物の壁などに固定させてもよい。
【００３５】
上記テント本体５は、骨格部材１１と、この骨格部材１１の内側に配置され、この骨格部材１１に支持されるテント膜材１２と、上記骨格部材１１の下端部に取り付けられ、静止がわ面２上の所望位置にまで上記骨格部材１１およびテント膜材１２を移動可能とさせるキャスターで例示される車輪１３とを備えている。
【００３６】
上記骨格部材１１は、上記一方向Ａに列状かつ等間隔に配置され、その各下端部に上記車輪１３が取り付けられて所望方向に移動可能とされる複数の門型フレーム１６と、前後方向で隣り合う両門型フレーム１６，１６を互いに平行移動により接近、離反可能とさせるようこれら両門型フレーム１６，１６の左右各側部同士を連結する連結フレーム１７と、上記両門型フレーム１６，１６が所定寸法だけ離反したとき、これら両門型フレーム１６，１６の相対移動を阻止して上記骨格部材１１を所定形状（各図中実線）に保形するよう上記両門型フレーム１６，１６および／もしくは連結フレーム１７に着脱可能に架設される保形フレーム１８とを有している。
【００３７】
上記各門型フレーム１６のうち、最前端の門型フレーム１６は前部取付具１９により上記格納箱体７に取り付けられ、最後端の門型フレーム１６は後部取付具２０により上記蓋体８に取り付けられる。
【００３８】
上記テント膜材１２は、このテント膜材１２の天井面を構成し、互いに離反した上記各門型フレーム１６の上部に上部取付具２１により吊り下げられるよう支持される天井面膜材２２と、この天井面膜材２２の各側端縁部から下方に向かい延出して上記テント膜材１２の左右各側面を構成し、上記各門型フレーム１６の左右各側部に側部取付具２３により取り付けられる側面膜材２４と、上記テント膜材１２の底面を構成し、上記静止がわ面２上に敷設されて各外側端縁部が上記各側面膜材２４の下端縁部にファスナー２５により着脱可能に連結される底面膜材２６とを備えている。
【００３９】
上記テント膜材１２の天井面膜材２２、左右側面膜材２４，２４、および底面膜材２６の各前端縁部で囲まれた上記テント膜材１２の前端開口は上記格納箱体７により閉じられている。一方、上記テント膜材１２の天井面膜材２２、左右側面膜材２４，２４、および底面膜材２６の各後端縁部で囲まれた上記テント膜材１２の後端開口は上記蓋体８により閉じられている。これにより、上記テント本体５の内部空間２７は閉じられた空間とされている。
【００４０】
上記格納箱体７は、この格納箱体７の前面部を構成し、上記最前端の門型フレーム１６が取り付けられる端面板３０と、上記格納箱体７の左右各側面部を構成し、上記端面板３０の左右各外側端縁部から後方に向かって延出し、その下端部に上記車輪１３が取り付けられる左右側面板３１，３１と、上記格納箱体７の上面部を構成し、上記端面板３０および左右側面板３１，３１の各上端縁部に架設される上面板３２とを備えている。
【００４１】
また、上記格納箱体７は、上記端面板３０の起立姿勢を保持可能とするよう上記端面板３０の左右各外側端縁部に枢支具３３により枢支され、その下端部に上記車輪１３が取り付けられる姿勢保持体３４と、上記端面板３０に形成され、上記テント本体５の内外を連通させるドア開口３５と、このドア開口３５を開閉可能に閉じるドア３６とを備えている。
【００４２】
上記蓋体８は、上記格納箱体７とは同形同大の構成とされるが、前後方向で逆向きの姿勢とされ、この格納箱体７と同様に、開口３７、端面板３８、左右側面板３９，３９、枢支具４１、および姿勢保持体４２を備えている。なお、上記蓋体８は、上記格納箱体７のドア開口３５、およびドア３６を備えてもよい。
【００４３】
上記テント本体５の内部空間２７の前端部には、カーテン４５で密閉状に囲まれたエアロックルーム４６と、他のカーテン４７で区画された区画室４８とが形成される。上記エアロックルーム４６は着替えや授乳が可能とされる多目的ルームとされる。上記区画室４８には、簡易トイレ４９が設置され、上記区画室４８の一部を形成する上記格納箱体７の端面板３０に換気ガラリ５０が設けられる。なお、この換気ガラリ５０は上記蓋体８にも設けてもよい。
【００４４】
上記テント本体５の格納箱体７や蓋体８はアルミなどの軽合金材や樹脂材により形成される。また、上記テント本体５のテント膜材１２や各カーテン４５，４７は防水材であって、ケナフ繊維等の天然繊維、ポリエステル繊維等の合成繊維、もしくはガラス繊維等の無機繊維等により形成される織物である基材と、この基材の表裏の各外面に被覆（コーティング）されるポリ塩化ビニル（ＰＶＣ）やフッ素樹脂など熱可塑性樹脂材製の外面材（コーティング材）とを備えている。なお、上記テント本体５の外面には、汚れ防止のための光触媒層等を設けていてもよいし、もしくは、上記テント本体５の外面層を、この外面層における熱可塑性樹脂に光触媒粒子を含有させることにより光触媒層としてもよい。
【００４５】
上記テント本体５の外部の空気をその内部空間２７に送り込んで、この内部空間２７を全体的に陽圧にする加圧装置５４が設けられる。この加圧装置５４は、上記蓋体８に取り付けられると共に車輪５５を有して上記静止がわ面２上を所望方向に移動可能とされる左右一対の移動台５６，５７と、上記移動台５６上に設置される電動式ブロアー５８と、他の移動台５７上に設置される電動式予備ブロアー５９と、上記ブロアー５８の吸引側に上記テント本体５の外部を連通させる可撓性ダクト６０とを備えている。
【００４６】
上記加圧装置５４は上記テント本体５の内部空間２７に格納されるが、上記加圧装置５４の少なくとも一部は上記蓋体８の内部空間に格納される。この場合、テント本体５のテント膜材１２の底面膜材２６は、上記静止がわ面２と加圧装置５４との間に介設されてファスナー２５により左右各側面膜材２４に取り付けられる。上記ダクト６０は、上記テント本体５の後端部のテント膜材１２の側面膜材２４と蓋体８の側面板３９とにそれぞれ形成された貫通口６１を貫通している。また、上記ダクト６０は上記ブロアー５８、テント本体５、および蓋体８に対し着脱可能とされる。
【００４７】
上記エアロックルーム４６の陽圧（０〜１００Ｐａ）を計測する圧力計６５と、上記エアロックルーム４６の陽圧を５０Ｐａ以下の所定圧に調整する陽圧調整弁６６とが設けられる。また、上記エアロックルーム４６を除く上記テント本体５の内部空間２７の陽圧（０〜１００Ｐａ）を計測する他の圧力計６７と、上記テント本体５の内部空間２７の陽圧を５０Ｐａに維持する他の陽圧調整弁６８とが設けられる。
【００４８】
各図中実線で示すように、上記テント本体５を伸長させれば、このテント本体５、格納箱体７、および蓋体８で囲まれた内部空間２７は、居住空間（シェルタ）、作業場、物置などに利用可能とされる。この場合、上記内部空間２７への出入りは、上記ドア開口３５を通して可能とされる。
【００４９】
一方、上記門型フレーム１６や連結フレーム１７から保形フレーム１８を取り外して上記テント本体５を収縮させれば、この収縮したテント本体５の少なくとも一部分が上記格納箱体７内に格納可能とされ、かつ、上記テント本体５の他部分が上記蓋体８内に格納可能とされる。また、上記テント本体５を最大限収縮させたとき、上記格納箱体７と蓋体８とは、その各開口６，３７を開閉可能に閉じることとされ、これら格納箱体７と蓋体８とで形成された閉じられた空間内に上記テント本体５が格納される（各図中三点鎖線）。なお、図示しないが、上記各開口６，３７を閉じた格納箱体７と蓋体８とを互いに着脱可能に連結するフックやバックルなどの連結具が設けられる。
【００５０】
上記構成によれば、ある一方向Ａで伸長、収縮可能とされるテント本体５を備えた伸縮式テント装置において、
上記一方向Ａにおける上記テント本体５の一端部に取り付けられてこのテント本体５の他端部側に向かって開く開口６を有し、収縮したテント本体５の少なくとも一部分を格納可能とする格納箱体７と、上記テント本体５の他端部に取り付けられ、このテント本体５を収縮させたとき、上記格納箱体７の開口６を開閉可能に閉じる蓋体８とを備えている。
【００５１】
このため、上記テント本体５を収縮させて、このテント本体５を、上記格納箱体７とこの格納箱体７の開口６を閉じた蓋体８とで形成された閉じられた空間内に格納してやれば、テント装置１はコンパクトな形状とされて、このテント装置１の取り扱い作業や搬送作業が容易にできる。
【００５２】
そして、上記の場合、テント本体５は上記格納箱体７と蓋体８とによって閉じられた空間に格納されることから、上記テント本体５が大気側の雨水や塵埃により無用に汚損されることは防止される。また、上記各作業時に、その作業者などから上記テント本体５に外力が負荷されることは上記格納箱体７や蓋体８によって防止される。よって、上記各作業時において、テント本体５への外力の負荷に留意しないで足りる分、上記テント装置１への各作業は、より容易にできる。
【００５３】
また、前記したように、蓋体８をテント本体５の一端部側に向かって開く開口３７を有する箱形状体とし、上記テント本体５を収縮させたとき、上記蓋体８内に上記テント本体５の他部分を格納可能にしている。
【００５４】
このため、上記格納箱体７と蓋体８とによりテント本体５を格納するとき、その格納容積を上記格納箱体７と蓋体８とに分担させることができる。よって、その分、上記格納箱体７と蓋体８とをそれぞれ小型かつ軽量にできることから、これら７，８による上記テント本体５の格納作業や、上記格納箱体７と蓋体８とを互いに離反させて上記テント本体５を伸長させる際の作業は、より容易にでき、つまり、テント装置１の取り扱い作業は、より容易にできる。
【００５５】
また、前記したように、格納箱体７と蓋体８とのうちの少なくともいずれか一方をほぼ水平な静止がわ面２上に自立可能に設置すると共に、上記静止がわ面２に沿った方向に移動可能にしている。
【００５６】
このため、上記テント本体５を伸長させたり、収縮させたりする場合の格納箱体７や蓋体８の移動時に、不意の転倒に留意しないで足りる分、上記テント装置１への各作業は更に容易かつ迅速にできる。
【００５７】
また、前記したように、格納箱体７と蓋体８とのうちの可動側のものに上記テント本体５の内外を連通させるドア開口３５を形成すると共に、このドア開口３５を開閉可能とするドア３６を設けている。
【００５８】
このため、上記格納箱体７や蓋体８と共に上記ドア開口３５およびドア３６を所望位置に移動させることができる。よって、上記ドア開口３５を通しての上記テント本体５の内部空間２７への出入りが容易にできることとなって便利である。
【００５９】
また、前記したように、テント本体５の外部の空気をその内部空間２７に送り込んで、この内部空間２７を陽圧にする加圧装置５４を設け、この加圧装置５４を、上記格納箱体７と蓋体８とのうちの可動側のものに取り付けている。
【００６０】
このため、上記加圧装置５４の作動によれば、上記テント本体５の内部空間２７に、テント本体５の外部の新鮮な空気を取り込むことができる。よって、上記テント本体５の内部空間２７における居住性や作業性を向上させることができる。
【００６１】
また、上記格納箱体７や蓋体８と共に上記加圧装置５４を所望位置に移動させることができる。よって、上記加圧装置５４を、テント本体５への空気の取り込みに適したところに位置させたり、上記加圧装置５４を電源の近くに位置させたりすることができて便利である。
【符号の説明】
【００６２】
１    テント装置
２    静止がわ面
５    テント本体
６    開口
７    格納箱体
８    蓋体
１１  骨格部材
１２  テント膜材
１３  車輪
１６  門型フレーム
１７  連結フレーム
１８  保形フレーム
２２  天井面膜材
２４  側面膜材
２５  ファスナー
２６  底面膜材
２７  内部空間
３０  端面板
３１  側面板
３２  上面板
３５  ドア開口
３６  ドア
３７  開口
３８  端面板
３９  側面板
４０  上面板
５４  加圧装置
Ａ    一方向
【図１】
0006445795.tif 000002
【図２】
0006445795.tif 000003
【図３】
0006445795.tif 000004
【図４】
0006445795.tif 000005